(57)【特許請求の範囲】
【請求項１】
所定時間内に供給された複数のチヤンネルからの再生要求をデイスク状記録媒体のシーク時間が短くなるような順番に並べ替え、上記再生要求に応じた記録データを当該順番で再生して送出するデイスク装置の再生方法において、
各チヤンネル毎に、前の時点に要求された記録データから次の時点に要求された記録データを再生するまでに必要な時間間隔を求め、
当該時間間隔が予め設定されたアクセス間隔の最大時間以上になる再生要求についての記録データを優先的に再生する
ことを特徴とするデイスク装置の再生方法。
【請求項２】
上記再生要求の中に、上記時間間隔が上記最大時間を超える再生要求が存在する場合には、当該最大時間を超える再生要求についての記録データを再生し、上記時間間隔が上記最大時間を超える再生要求が存在しなくなると、残りの再生要求を並べ替えることにより、上記時間間隔が予め設定されたアクセス間隔の最大時間以上になる再生要求についての記録データを優先的に再生する
ことを特徴とする請求項１に記載のデイスク装置の再生方法。
【請求項３】
上記再生要求を並べ替え、当該再生要求の中に上記時間間隔が上記最大時間を超える再生要求が存在する場合には、当該最大時間を超える再生要求を優先的に再生する
ことを特徴とする請求項１に記載のデイスク装置の再生方法。
【発明の詳細な説明】
【０００１】
【目次】
以下の順序で本発明を説明する。
産業上の利用分野
従来の技術（図１０）
発明が解決しようとする課題（図１０〜図１５）
課題を解決するための手段
作用
実施例
（１）ＡＶサーバシステムの構成（図１）
（２）サーバ部の構成（図２〜図５）
（３）実施例の記録データ再生処理（図６〜図９）
（４）実施例の動作
（５）実施例の効果
（６）他の実施例
発明の効果
【０００２】
【産業上の利用分野】
本発明はデイスク装置の再生方法に関し、例えばＡＶサーバシステムに用いられるデイスク装置の再生方法に適用して好適なものである。
【０００３】
【従来の技術】
従来、放送局等に配設された一つの映像供給源から、複数の視聴者のそれぞれに映像を供給する装置としてＡＶ（Audio Vidual：音響・映像）サーバシステムが提案されている。ＡＶサーバシステム１は、図１０に示すように、映像データ発生部２から出力される圧縮された音響映像データＤ１をサーバ部３のメデイアユニツト４に与える。
【０００４】
メデイアユニツト４には、音響映像データＤ１を記録再生可能な複数のデイスク装置が内蔵されており、メデイアコントロール部５によつて制御されて、音響映像データＤ１を所定のデイスク状記録媒体に記録すると共に記録された音響映像データＤ１を再生する。再生された音響映像データはメデイアコントロール部５によつて伸長及び分配された後、各モニタ６Ａ1 〜６ＡN （以下、各モニタ６Ａ1 〜６ＡN を各チヤンネルと呼ぶ）に送出される。
【０００５】
このときメデイアコントロール部５のメデイアユニツト４からの読出し動作及びモニタ６Ａ1 〜６ＡN への送出動作は、システムコントロール部６によつて指定される制御信号ＳCONTによつて制御される。このようにＡＶサーバシステム１においては、一旦メデイアユニツト４に記録された多数の映像情報のうち、所望の映像情報を所望のチヤンネル６Ａ1 〜６ＡN に送出し得るようになされている。
【０００６】
【発明が解決しようとする課題】
ところで、ＡＶサーバシステム１においては、各チヤンネル６Ａ1 〜６ＡN に対して途切れのない映像を送出する必要がある。このためＡＶサーバシステム１のメデイアユニツト４は、各チヤンネル６Ａ1 〜６ＡN に対して常に一定のデータ量を供給するようにデイスク状記録媒体からのデータ再生を行わなければならない。
【０００７】
ここでデイスク装置によるデータの再生動作について述べる。ここではデイスク装置としてハードデイスク装置を用いた場合について説明する。ハードデイスク装置はデイスク状記録媒体を回転させ、記録再生ヘツドによつてメデイア上にデータを記録し再生する構成となつている。このとき記録再生ヘツドは一般に１つなので、データへのアクセスはシーケンシヤルにしかできない。
【０００８】
また記録再生ヘツドは機械的に動作することにより、記録再生ヘツドのアクセス位置を変える場合（いわゆるシーク時）には、連続する位置をアクセスする場合と比較して多くの時間を要する。また記録再生ヘツドの移動後も、指定データの記録された円周上にヘツドが到達するまで回転待ちをする必要がある。
【０００９】
ここで上述したＡＶサーバシステム１等に用いられるデイスク装置のように、各チヤンネル６Ａ1 〜６ＡN に常に一定のデータ量を供給しなければならない場合には、シークから、回転待ち、データの読出しまでを含めた合計アクセス時間内に決められた以上のデータ量を再生する能力が要求される。
【００１０】
また性能上の最大送出チヤンネル数を実現するためには、１チヤンネル当りから要求されるアクセス速度にチヤンネル数を掛けただけの高い性能が要求されることになり、ハードデイスク装置には時間的な余裕がなくなる。従つて、シークにかかる時間をできるだけ短くする必要がある。通常、シーク時間を短くするためには、同時に複数のアクセス要求がある場合に、その要求を整理してシーク時間が短くなるようにアクセスの順番を変更した後に、その順番でアクセスを行うようにする。
【００１１】
これを、例えば図１１に示すように、デイスクの内周側から外周側に向つて、アドレスを０から１０まで付けたデイスクで考えるとする。このデイスクに対して、図１２に示すように、同時に６個のチヤンネルから各アドレスにアクセスすることを示す指示がされたとする。このときハードデイスク装置のヘツドは０番地にあるとする。この場合、ハードデイスク装置は指定されたアクセス順番を並べ替えることにより、アドレス１、アドレス２、アドレス３、アドレス５、アドレス７、アドレス８の順番で、デイスクの外周側から内周側へとヘツドを移動しながらアクセスする。従つて、各チヤンネルには、チヤンネル２、チヤンネル３、チヤンネル１、チヤンネル０、チヤンネル４、チヤンネル５の順番で再生データが送出される。
【００１２】
ここでシークからデータの読出しまでの１回のアクセスによつて１チヤンネルにつき１秒間の再生データを転送するハードデイスク装置について考えると、図の例では、６回のアクセスを１秒以内で終了させて、６個のチヤンネルそれぞれに１秒間の再生データを供給し、次の秒のアクセスを開始する必要がある。
【００１３】
別の例として図１３に示すように、各チヤンネルが２秒間の再生データを要求した場合を考える。この例においてハードデイスク装置は、１秒目にはアドレス１、２、３、５、７、８の順でアクセスし、２秒目には、アドレス２、３、４、６、８、９の順でアクセスすることになる。ここでハードデイスク装置が、１チヤンネルについて１秒分のアクセスを0.1 秒で行うことができる性能を有するとすると、６チヤンネル分のアクセスには0.6 秒だけかかる。この場合には、図１４に示すように、２秒目のデータを１秒以内にアクセスすることができるので、２秒目の再生が間に合う。
【００１４】
ところが、同じ例で、チヤンネル２が１秒目のデータとしてアドレス１を、２秒目のデータとしてアドレス１０を要求したとすると、図１５に示すように、アドレス１からアドレス１０までのアクセスに1.1 秒かかつてしまい、チヤンネル２に対してデータの供給不足が生じ、この結果チヤンネル２の映像が途切れてしまう問題があつた。このようにデイスク装置から常に一定以上のデータ量を常に出力しなければならないシステムにおいては、デイスク装置がアクセスするアドレスを単純に並べ替えるだけでは、要求されるデータ量を出力することはできなかつた。
【００１５】
本発明は以上の点を考慮してなされたもので、記録データの読出し順序を最適化することにより、各チヤンネルに途切れの無い再生データを供給し得るデイスク装置の再生方法を提案しようとするものである。
【００１６】
【課題を解決するための手段】
かかる課題を解決するため本発明においては、所定時間内に複数のチヤンネルから供給された再生要求をデイスク録媒体のシーク時間が短くなるような順番に並べ替え、再生要求に応じた記録データを当該順番で再生して送出するデイスク装置の再生方法において、各チヤンネル毎に、前の時点に要求された記録データから次の時点に要求された記録データを再生するまでに必要な時間間隔を求め、当該時間間隔が予め設定されたアクセス間隔の最大時間以上になる再生要求についての記録データを優先的に再生するようにする。
【００１７】
【作用】
各チヤンネル毎に、前の時点に要求された記録データから次の時点に要求された記録データを再生するまでに必要な時間間隔を求め、当該時間間隔が予め設定されたアクセス間隔の最大時間以上になる再生要求についての記録データを優先的に再生すれば、各チヤンネルに途切れの無い再生データを供給することができる。
【００１８】
【実施例】
以下図面について、本発明の一実施例を詳述する。
【００１９】
（１）ＡＶサーバシステムの構成
図１において、２０は全体として本発明を適用するＡＶサーバシステムの構成を示し、ビデオテープレコーダ（ＶＴＲ）２１等でなるデータ供給源２２から出力される映像音声データＤ２０をエンコード部２３のエンコーダ２４に与える。エンコーダ２４は映像音声データＤ２０をＭＰＥＧ２の規格に従つたフオーマツトで符号化することにより符号化データＤ２１を形成し、当該符号化データＤ２１をサーバ部２５に送出する。
【００２０】
サーバ部２５はメデイア制御部２６及び複数のメデイアユニツト２７Ａ1 〜２７Ａ7 により構成されており、符号化データＤ２１をメデイア制御部２６に入力する。各メデイアユニツト２７Ａ1 〜２７Ａ7 はそれぞれ複数のハードデイスク装置を内蔵している。そしてサーバ部２５のメデイア制御部２６は入力した符号化データＤ２１を、コントロール部２８からの書込み制御信号Ｓ１に応じていずれかのメデイアユニツト２７Ａ1 〜２７Ａ6 又は２７Ａ7 のハードデイスク装置を選択して記録する。またメデイア制御部２６はコントロール部２８からの読出し制御信号Ｓ２に応じて、所望の符号化データが記録されたハードデイスク装置を駆動して再生データを得る。
【００２１】
またメデイア制御部２６にはデコーダが内蔵されており、ハードデイスク装置によつて再生された再生データを復号する。さらにメデイア制御部２６はデータ分配機能を有し、復号データＤ２０をコントロール部２８によつて指定された指定信号に従つて分配し、例えばテレビジヨン受像機でなる端末２８Ａ1 〜２８ＡN-1 又は２８ＡN に選択的に送出するようになされている。
【００２２】
なお、ＡＶサーバシステム２０においては、データ供給源２２による映像音声データＤ２０の送出動作及びエンコーダ２４の符号化動作をコントロール部２８からの制御信号Ｓ３によつて制御する。またコントロール部２８はデータ供給源２２及びエンコーダ２４の動作状態を状態信号Ｓ４に基づいて監視すると共に、メデイア制御部２６の動作状態を状態信号Ｓ５に基づいて監視するようになされている。
【００２３】
（２）サーバ部の構成
サーバ部２５は、図２に示すように構成されている。なお図２では、説明を簡略化するため、７つのメデイアユニツト２７Ａ1 〜２７Ａ7 のうち１つのメデイアユニツト２７Ａ1 に対応する構成部分のみを示した。
【００２４】
サーバ部２５はエンコーダ２４からの符号化データＤ２１を記録する際、当該符号化データＤ２１をエンコーダインターフエース（エンコーダＩ／Ｆ）３０及びエラーコードエンコーダ３１を介して入出力部３２Ａ〜３２Ｃに送出する。このときエラーコードエンコーダ３１は符号化データＤ２１を５分割し、この５分割したデータからパリテイを生成する。
【００２５】
メデイア制御部２６のメインＣＰＵ３３は、コントロール部２８からの書込み制御信号Ｓ１及び読出し制御信号Ｓ２を入力し、当該制御信号Ｓ１及びＳ２に基づいてハードデイスク装置ＨＤＤ１〜ＨＤＤ６及びＨＤＤＰを駆動制御するための駆動制御信号Ｓ６を入出力部３２Ａ〜３２Ｃに送出する。
【００２６】
この結果入出力部３２Ａ〜３２Ｂはエラーコードエンコーダ３１から与えられた符号化データを駆動制御信号Ｓ６に応じたハードデイスク装置ＨＤＤ１〜ＨＤＤＰによつて記録するようになされている。因に、ハードデイスク装置ＨＤＤ１〜ＨＤＤ５は映像音声データ記録用のハードデイスク装置であり、ハードデイスク装置ＨＤＤＰはパリテイ用のハードデイスク装置である。
【００２７】
一方、サーバ部２５は再生時に、駆動制御信号Ｓ６に基づいて各ハードデイスクＨＤＤ１〜ＨＤＤＰによつて読み出した再生データを、入出力部３２Ａ〜３２Ｃを介してエラーコードデコーダ３４に送出する。エラーコードデコーダ３４は記録時に生成されたパリテイに基づいて再生データに対してエラー訂正処理を施すと共にこれを分配して、デコーダ部３５を構成する複数のデコーダ３５Ａ〜３５Ｆに選択的に送出する。
【００２８】
実際上、メデイア制御部２６においては、入出力部３２Ａ〜３２Ｃ及びエラーコードデコーダ３４の間、並びにエラーコードデコーダ３４及びデコーダ部３５の間がバスによつて接続されており、各ハードデイスク装置ＨＤＤ１〜ＨＤＤ５によつて読み出された再生データを時分割で伝送することにより、複数の再生データを指定された各チヤンネルＣＨ１〜ＣＨ１２に容易に分配し得るようになされている。なお、各デコーダ３５Ａ〜３５Ｆは２チヤンネル分の復号データを同時に出力し得るようになされている。
【００２９】
各入出力部３２Ａ〜３２Ｃは、図３に示すように構成されている。ここで入出力部３２Ａと入出力部３２Ｂ及び３２Ｃは同様の構成でなることにより、以下入出力部３２Ａについて説明する。入出力部３２Ａは、エラーコードエンコーダ３１から出力された符号化データをバツフア４０、４１に一旦蓄え、規定量のデータが蓄えられた時点で一気に記録用インターフエース（Ｉ／Ｆ）４２、４３を介してハードデイスク装置ＨＤＤ１、ＨＤＤ２に与えることによりハードデイスク上に記録する。
【００３０】
また入出力部３２Ａはハードデイスク装置ＨＤＤ１、ＨＤＤ２によつて再生された再生データを、インターフエース４２、４３及びバツフア４０、４１を介してエラーデコーダ３４に送出する。このように入出力部３２Ａにおいては、バツフア４０、４１に一旦データを蓄積してある程度まとまつたデータ量でデータの書込み及び読出しを行うことにより、ハードデイスク装置ＨＤＤ１、ＨＤＤ２のシーク時間を減らし、ハードデイスク装置ＨＤＤ１、ＨＤＤ２の実効速度を速くするようになされている。
【００３１】
因に、入出力部３２Ａでは、バツフア４０、４１の容量をできるだけ少なくすることにより、構成を簡易化しコストを削減し得るにようになされている。また各バツフア４０、４１としてそれぞれフレームメモリを２つ用いることにより、記録データと再生データとのアクセスが衝突しないようになされている。
【００３２】
すなわちバツフア４０、４１は１つのフレームメモリにハードデイスク装置ＨＤＤ１、ＨＤＤ２からの再生データを蓄積し、もう一方のフレームメモリにエラーコードエンコーダ３１からのデータを蓄積するようになされている。従つてバツフア４０、４１には、最大２秒分のデータが記憶される。そして１フレーム分の記録又は再生が終了した時点でアクセスフレームを交換することにより、データ衝突が回避された記録及び再生ができるようになされている。
【００３３】
また各入出力部３２Ａ〜３２ＣはＣＰＵ４４を有し、このＣＰＵ４４にメインＣＰＵ３３からの駆動制御信号Ｓ６を入力し、当該駆動制御信号Ｓ６に基づく駆動信号Ｓ８をインターフエース４２、４３を介して各ハードデイスク装置ＨＤＤ１、ＨＤＤ２に送出することにより、ハードデイスク装置ＨＤＤ１、ＨＤＤ２の読出し及び書込み動作を制御するようになされている。
【００３４】
またＣＰＵ４４は再生時にインターフエース４２、４３から出力される再生データを入力することにより、各ハードデイスク装置ＨＤＤ１、ＨＤＤ２のデータアクセス状態を監視することができるようになされている。そしてこの監視結果を監視結果信号Ｓ７としてメインＣＰＵ３３に送出する。
【００３５】
メインＣＰＵ３３は監視結果信号Ｓ７を入力すると、当該監視結果をコントロール部２８に状態信号Ｓ５により伝え、コントロール部２８は監視結果をモニタに表示するようになされている。これによりユーザは、各ハードデイスク装置ＨＤＤ１〜ＨＤＤＰの動作状態をコントロール部２８のモニタ上で容易に確認できる。
【００３６】
さらにＣＰＵ４４には、ソーテイング回路４５、タイマ４６及びＦＡＴ（File Allocation Table)メモリ４７が接続されている。ＣＰＵ４４はデータ記録時にＦＡＴメモリ４７に映像音声データのハードデイスク上の記録位置をクラス単位で記録する。ＣＰＵ４４はデータの読出し要求があると、ＦＡＴメモリ４７からソーテイング回路４５に読出し要求があつたデータの記録位置を抜き出し、当該ソーテング回路４５を用いて後述する読出し順序の並べ替えを行うようになされている。またＣＰＵ４４はタイマ４６によつてデータの読出し要求時間を管理するようになされている。
【００３７】
ここでＡＶサーバシステム２０によるハードデイスク上の記録フオーマツトを、図４に示す。ＡＶサーバシステム２０は、ハードデイスクデイスクの外周側から内周側に向つて順次、フオーマツト方式が記録される「ＩＤ領域」、デイスク内での各情報の記録開始セクタと大きさが記録される「フオーマツト領域」、符号化された映像音声データが記録される「映像データ領域」、デイスクの管理情報や映像の管理情報であるクリツプ情報が記録される「コントロールデータ領域」を形成する。
【００３８】
なお、管理情報が記録された「コントロールデータ領域」は、クリツプ情報の登録情報が記録される「システム情報領域」、各クリツプの情報が記録される「フアイル情報領域」、映像音声データのハードデイスク上の記録位置をクラスタ単位で管理する「ＦＡＴ領域」により形成されている。因に、各ブロツクの境界には将来の拡張用に予約領域が設けられている。また容量が2.15〔ギガ〕のハードデイスクに図４に示すような記録フオーマツトを施した場合の、各領域へのセクタ割当て例を、図５に示す。
【００３９】
（３）実施例の記録データ再生処理
ここでこの実施例のサーバ部２５においては、各チヤンネルＣＨ１〜ＣＨ１２からあるアドレスのデータを再生するための要求があると（すなわちコントロール部２８から読出し制御信号Ｓ２が出力されると）、各チヤンネル毎に、前の時点に要求された記録データから次の時点に要求された記録データをアクセスするまでに必要な時間を求め、このアクセスに必要な時間間隔を考慮してアクセスするデータの順番を入れ換えることにより、各チヤンネルに途切れの無い映像音声データ（再生データ）を供給し得るようになされている。
【００４０】
すなわちサーバ部２５においては、チヤンネル毎にアクセス時の時間間隔を監視し、前のアクセスから次のアクセスに１秒以上かかりそうなときには、デイスク上の記録セクタの順序に関係なく（すなわち従来のように単に外周側から内周側、又は内周側から外周側に順に付された記録セクタの番号順に記録データを読み出すのではでなく）優先してそのアドレスの記録データを読み出すようにする。
【００４１】
これを、図６に示すように、従来の再生順序ではデータ供給が間に合わなかつた場合を例にとつて説明する。なおここではチヤンネル数を６個とし、時間の監視単位を1/1000（１ミリ）秒とする。またアクセス間隔（すなわち１つのチヤンネルについて前のアクセスから次のアクセスまでにかかる時間）が750 ミリ秒以上となると優先してその記録データをアクセスするようにする。
【００４２】
実施例の場合では、図７に示すように、チヤンネル１からの２秒目の要求であるアドレス４の読出しが終了した後に、チヤンネル２からの２秒目の要求であるアドレス１０をアクセスすることになる。この結果チヤンネル２について、１秒目の要求を読み出してから２秒目の要求を読み出すまでに800 ミリ秒で済ませることができる。
【００４３】
かくして、実施例のサーバ部２５においては、そのシステムに適合したアクセス間隔の最大時間（実施例の場合750 ミリ秒）を設定し、この最大時間を基準としながら各チヤンネル毎のアクセス時間を管理し、その最大時間を越えたものを優先的にアクセスするようにしたことにより、各チヤンネルに映像音声データを途切れなく供給することができる。
【００４４】
実際上、サーバ部２５は、図８及び図９に示すような処理手順を実行することにより、上述したようにアクセス時間を管理し、各チヤンネルの映像音声データが途切れないような最適な読出し動作を行うようになされている。
【００４５】
すなわちメインＣＰＵ３３がステツプＳＰ１においてデコーダ３５Ａ〜３５Ｆからアクセス要求があるか否かを判断し、アクセス要求があるまで待機してアクセス要求があると、入出力部のＣＰＵ４４にデータアクセスコマンド（すなわち駆動制御信号Ｓ６）を発信する。
【００４６】
ＣＰＵ４４は、図９に示すように、ステツプＳＰ１１においてメインＣＰＵ３３からのデータアクセスコマンドを受信し、コマンドの内容を内部メモリに記録すると共に受信時間をタイマ４６に記録する。ＣＰＵ４４はステツプＳＰ１２でコマンドを待機状態とし、続くステツプＳＰ１３でタイマ４６の内容を参照することにより受付終了時間か否か判断し、終了時間でない場合はステツプＳＰ１１に戻つて再び新しいコマンドを受信する。このようにＣＰＵ４４は、受け付け終了時間迄ステツプＳＰ１１−Ｓ１２−Ｓ１３−Ｓ１１を繰り返してコマンドを受け付けることにより、複数のコマンドを記憶するようになされている。
【００４７】
ＣＰＵ４４はステツプＳＰ１３において肯定結果が得られ、コマンドの受付終了時間になると、ステツプＳＰ１４に移つて待機中のコマンドの中で規定時間（例えば750 ミリ秒）を越えているコマンドがあるか否か判断する。
【００４８】
そしてＣＰＵ４４はステツプＳＰ１４で否定結果が得られると、このことは優先してアクセスしなければならないコマンドが無いことを表し、このときステツプＳＰ１５に移り、ここでＦＡＴメモリ４７からソーテイング回路４５にコマンドに応じたデータを抜き出し、抜き出したＦＡＴデータに基づいてアクセスアドレスの並べ替えを行う。
【００４９】
次にＣＰＵ４４はステツプＳＰ１６において、並べ替えられたアドレスのうち最外周のアドレスを読み出すことを指示する駆動信号Ｓ８をハードデイスク装置ＨＤＤ１〜ＨＤＤ４又はＨＤＤ５に送出し、そのアドレスのデータを読み出させる。ＣＰＵ４４は続くステツプＳＰ１７において、実行したコマンドを待機中のコマンドから除き、続くステツプＳＰ１８において待機中のコマンドがあるか否か判断し、待機中のコマンドがある場合はステツプＳＰ１４に戻る。このようにＣＰＵ４４は、ステツプＳＰ１４−ＳＰ１５−ＳＰ１６−ＳＰ１７−ＳＰ１８−ＳＰ１４の処理ループを繰り返すことにより、従来と同様に外周側から内周側へと順次要求されたアドレスのデータを再生させる。またＣＰＵ４４はステツプＳＰ１８において肯定結果が得られると、ステツプＳＰ１１に戻つて再び次のコマンドを受信する。
【００５０】
これに加えて、ＣＰＵ４４はステツプＳＰ１４において肯定結果が得られると、このことは待機中のコマンドの中に直ぐに読み出さないと要求される時間を越えてしまう、すなわち映像音声データが途切れてしまうコマンドがあることを表し、このときステツプＳＰ１９に移つて、規定時間を越えているコマンドの中で一番規定時間を越えているコマンドを実行する。この結果、チヤンネルから出力される映像の途切れを未然に回避し得る。
【００５１】
（４）実施例の動作
以上の構成において、ＡＶサーバシステム２０のサーバ部２５は、各チヤンネルＣＨ１〜ＣＨ１２からの要求に応じて例えばハードデイスク装置ＨＤＤ１〜ＨＤＤＰを駆動して各チヤンネルＣＨ１〜ＣＨ１２に再生データを供給する。このときサーバ部２５は第１の時刻（例えば１秒目）に各チヤンネルＣＨ１〜ＣＨ１２から複数の要求があり、第２の時刻（例えば２秒目）に各チヤンネルＣＨ１〜ＣＨ１２から複数の要求があると、先ず第１の時刻の要求をハードデイスク上でのシーク時間が短くなるように外周側から内周側に順番に並び替え、次に第２の時刻にあつた要求を同じく外周側から内周側に順番に並び替えて再生する順番を決定する。
【００５２】
ここでサーバ部２５は第２の時刻にあつた要求を並べ替える際、各チヤンネルＣＨ１〜ＣＨ１２毎に、第１の時刻の要求を再生してから、第２の時刻の要求を再生するまでにかかる時間を予め求め、この時間間隔が所定以上の要求を優先して再生するようにする。この結果ハードデイスク装置ＨＤＤ１〜ＨＤＤＰは各チヤンネルＣＨ１〜ＣＨ１２に途切れのない映像音声データを供給できるようになる。
【００５３】
（５）実施例の効果
以上の構成によれば、各チヤンネルＣＨ１〜ＣＨ１２からの要求に対応した記録データをシーク時間が短くなる順序で再生すると共に、このとき各チヤンネル毎のアクセス時間間隔を予め求め、当該時間間隔が所定以上となる要求を優先して再生するようにしたことにより、各チヤンネルＣＨ１〜ＣＨ１２に途切れのない再生映像音声データを供給することができる。
【００５４】
またこのように各チヤンネル毎のアクセス時間を管理したことにより、ハードデイスク装置ＨＤＤ１〜ＨＤＤＰの見かけ上のアクセス速度を向上させることができる。また低いデータ転送速度でも、システムから要求される各チヤンネルＣＨ１〜ＣＨ１２への再生データ供給量を満たすことができる。
【００５５】
さらにハードデイスク装置を複数台並列に接続して転送能力を高めているようなシステムにおいて、一台のハードデイスク装置当りのデータ読出し能力が向上することにより、並列接続するハードデイスク装置の個数を低減でき、構成を簡易化できる。
【００５６】
（６）他の実施例
なお上述の実施例においては、本発明によるデイスク装置の再生方法を、ＡＶサーバシステム２０に適用した場合について述べたが、本発明はこれに限らず、種々のデイスク装置の再生方法に適用することができる。例えばデイスク装置として光磁気デイスク装置を用いた場合にも適用でき、要はデイスク状記録媒体に記録された記録データを複数のチヤンネルからの要求に応じて再生するデイスク装置に広く適用し得る。
【００５７】
また上述の実施例においては、各チヤンネルからの要求をハードデイスクの外周側から内周側に順に読み出すことによりシーク時間を短くする場合について述べたが、勿論各チヤンネルからの要求をハードデイスクの内周側から外周側に順に読み出すようにしてシーク時間を短くするようにしても良い。
【００５８】
さらに上述の実施例においては、各チヤンネルからの要求をハードデイスクの外周側から内周側に順に読み出すことによりシーク時間を短くする場合について述べたが、必ずしもそうする必要はなく、要は各チヤンネルに再生映像音声データが途切れないような順番で再生するようにすれば良い。
【００５９】
【発明の効果】
以上のように本発明によれば、所定時間内に複数のチヤンネルから供給された再生要求をデイスク状録媒体のシーク時間が短くなるような順番に並べ替え、再生要求に応じた記録データを当該順番で再生して送出するデイスク装置の再生方法において、各チヤンネル毎に、前の時点に要求された記録データから次の時点に要求された記録データを再生するまでに必要な時間間隔を求め、当該時間間隔が予め設定されたアクセス間隔の最大時間以上になる再生要求についての記録データを優先的に再生するようにしたことにより、記録データの読出し順序を最適化し得、各チヤンネルに途切れの無い再生データを供給することができる。
【図面の簡単な説明】
【図１】本発明を適用したＡＶサーバシステムの全体構成を示すブロツク図である。
【図２】サーバ部の構成を示すブロツク図である。
【図３】入出力部の構成を示すブロツク図である。
【図４】実施例のＡＶサーバシステムによる記録フオーマツトを示す略線図である。
【図５】各データ領域へのセクタ割当て例を示す略線図である。
【図６】各チヤンネルからの要求される読出しアドレスの例を示す図表である。
【図７】実施例によるアクセス順序の説明に供する略線図である。
【図８】チヤンネルからの読出し要求に対するサーバ部メインＣＰＵの処理手順を示すフローチヤートである。
【図９】実施例によるアクセス順序選定の説明に供する処理手順を示すフローチヤートである。
【図１０】従来のＡＶサーバシステムの構成を示すブロツク図である。
【図１１】デイスク上でのアドレス例を示す略線図である。
【図１２】各チヤンネルからの要求例を示す図表である。
【図１３】各チヤンネルからの要求例を示す図表である。
【図１４】図１３の要求に基づいて再生データを読み出す場合のアクセス順序例を示す略線図である。
【図１５】アクセス順序に不適合が生じる例を示す略線図である。
【符号の説明】
２０……ＡＶサーバシステム、２２……データ供給源、２３……エンコード部、２５……サーバ部、２６……メデイア制御部、２７Ａ1 〜２７Ａ7 ……メデイアユニツト、２８……コントロール部、２８Ａ1 〜２８ＡN ……端末、３２Ａ〜３２Ｃ……入出力部、３３……メインＣＰＵ、３５……デコーダ部、３５Ａ〜３５Ｆ……デコーダ、４０、４１……バツフア、４２、４３……インターフエース、４４……ＣＰＵ、４５……ソーテイング回路、４６……タイマ、４７……ＦＡＴメモリ、ＨＤＤ１〜ＨＤＤ５、ＨＤＤＰ……ハードデイスク装置、Ｄ２０……映像音声データ、Ｄ２１……符号化データ、Ｄ２２……復号データ、Ｓ１……書込み制御信号、Ｓ２……読出し制御信号、Ｓ３……制御信号、Ｓ４、Ｓ５……状態信号、Ｓ６……駆動制御信号、Ｓ７……監視結果信号、Ｓ８……駆動信号。
【図１】
0003867864.tif 000002
【図２】
0003867864.tif 000003
【図３】
0003867864.tif 000004
【図６】
0003867864.tif 000005
【図４】
0003867864.tif 000006
【図５】
0003867864.tif 000007
【図７】
0003867864.tif 000008
【図８】
0003867864.tif 000009
【図９】
0003867864.tif 000010
【図１０】
0003867864.tif 000011
【図１１】
0003867864.tif 000012
【図１２】
0003867864.tif 000013
【図１３】
0003867864.tif 000014
【図１４】
0003867864.tif 000015
【図１５】
0003867864.tif 000016